(57)【要約】【課題】鍵盤装置を小型化し、かつ、演奏ガイド用発光体の配置などを設計する際の自由度を向上させる電子鍵盤楽器の鍵盤装置を提供する。【解決手段】鍵本体部１１には、その後方の上面部の裏面よりも下方に、鍵を押離鍵方向に揺動可能にする鍵支点機能部である、水平ヒンジ部１１ａが形成され、この鍵支点機能部は、共通基端部１５に結合され、これらは樹脂により一体に形成されている。水平ヒンジ部１１ａは、鍵の下方向に薄く鍵の長手方向に沿う薄板片状に形成され、上面部１１ｆの裏面よりも下方にあって、その前端部は後端部１１ｃよりも先端部１１ｋ寄りの中間位置にて、連結部１１ｂを介して鍵本体部１１に結合され、その後端部は共通基端部１５の上端に結合されている。共通基端部１５は、鍵本体部１１の後方下部にあって後端部１１ｃよりも先端部１１ｋ寄りに形成されている。【選択図】図２
2008003210.tif 000002
【特許請求の範囲】
【請求項１】
複数の鍵が少なくとも１つの鍵ユニットを構成し、前記鍵ユニットを構成する各鍵は、鍵本体部の後方において前記鍵を押離鍵方向に揺動可能にする鍵支点機能部を介して共通基端部に結合されることにより一体に形成され、前記共通基端部が鍵フレームに固定される電子鍵盤楽器の鍵盤装置であって、
前記鍵支点機能部は、前記鍵本体部の後方上面部裏面よりも下方にあって、前記鍵本体部の後端部よりも先端部寄りに形成されている、
ことを特徴とする電子鍵盤楽器の鍵盤装置。
【請求項２】
前記鍵本体部は、開放された後端部を有する、
ことを特徴とする請求項１に記載の電子鍵盤楽器の鍵盤装置。
【請求項３】
前記複数の鍵に対応して前記各鍵を光らせる複数の発光体を有し、
前記鍵ユニットは光透過性を有する素材で形成されており、
前記複数の発光体は、対応する各鍵の鍵本体部の、後方上面部の裏側に配置されている、
ことを特徴とする請求項１または２に記載の電子鍵盤楽器の鍵盤装置。
【発明の詳細な説明】
【技術分野】
【０００１】
本発明は、電子鍵盤楽器の鍵盤装置に関するものであり、特にその鍵支点機能部の配置により鍵盤装置の小型化を図るものである。
【背景技術】
【０００２】
ポータブル・キーボード、シンセサイザ、電子オルガン、電子ピアノ等の、従来の電子鍵盤楽器の鍵盤装置として、複数の鍵で鍵ユニットを構成し、複数の鍵ユニットを重ね合わせて鍵フレームに固定するものが知られている（例えば、特許文献１の図２，図３を参照）。
例えば、１オクターブの鍵について、これを複数の黒鍵からなる１つの構造体（黒鍵ユニット）と、白鍵を少なくとも１つ置きに櫛歯状に形成した複数の構造体（例えば、Ｃ，Ｅ，Ｇ，Ｂの４鍵からなる白鍵ユニットと、Ｄ，Ｆ，Ａの３鍵からなる白鍵ユニット）とに分割し、各鍵の後端部を共通基端部で結合して樹脂で一体成形し、複数の鍵ユニットを共通基端部で重ね合わせて鍵フレームに固定している。
【０００３】
図７は、従来の鍵ユニットの問題点を説明するための、１つの鍵を示す図である。
図中、８１は鍵本体部、８１ａはその後端部において弾性変形により鍵本体部８１を押離鍵方向に揺動可能にする水平ヒンジ部、８１ｂは弾性変形により鍵本体部８１を鍵の幅方向に変位可能にする左右ヒンジ部、８２は帯状の共通基端部である。
水平ヒンジ部８１ａは、鍵の下方向（鍵の鉛直方向）に薄肉であり、鍵の長手方向（鍵の奥行き方向）に沿った水平薄板片である。左右ヒンジ部８１ｂは、鍵の幅方向（鍵の左右方向）に薄肉であり、鍵の長手方向に沿った垂直薄板片である。
水平ヒンジ部８１ａと左右ヒンジ部８１ｂ、左右ヒンジ部８１ｂと共通基端部８２は、結合部８１ｃ，８１ｄを介して結合されている。結合部８１ｃ，８１ｄは、鍵の長手方向に厚みを有し、鍵の幅方向に沿う板片状に形成されている。
【０００４】
８１ｅはストッパ片であり、鍵フレーム側に配置されたストッパに当接することにより、鍵本体部８１の揺動範囲を規制するものである。特許文献１（図１参照）において、このストッパ片８１ｅは、フレームに設けられたスリット内に挿入されることにより、鍵ガイドの機能も果たしている。
成形時の後収縮等により、鍵本体部８１が鍵の幅方向に変形していても、水平ヒンジ部８１ｂが僅かに曲がることにより、鍵本体部８１が鍵の幅方向に揺動してその位置が矯正され、共通基端部８２に対し鍵本体部８１が直角をなすように、各鍵の幅方向の傾きが調節される。
【０００５】
しかし、鍵本体部８１は、その後端部から、長手方向に沿った水平ヒンジ部８１ａを有する鍵支点機能部を介して長手方向に沿った共通基端部８２に結合されているため、鍵盤装置の奥行き方向が長くなる。そのため、鍵盤装置を収容する電子鍵盤楽器の奥行きも長くなる。また、共通基端部８２の上部は楽器本体パネルにより覆われるが、この下部にスイッチ等の取付スペースを要する。そのため、楽器本体パネルは、共通基端部８２より十分に高くしなければならないという問題もある。
【０００６】
鍵盤装置の奥行きを短縮するため、上述した左右ヒンジ部８１ｂをなくしてもよいが、水平ヒンジ部８１ａ、共通基端部８２をなくすことはできない。
一方、鍵支点機能部として、縦ヒンジを用いた鍵盤装置が知られている（特許文献２参照）。
鍵ユニットを構成する各鍵の長手方向中間部（黒鍵の後面部がある位置）に、鍵の長手方向に薄く鍵の幅方向に沿い、鍵の下方向に延びた薄板片状の縦ヒンジ部が形成され、鍵の先端部を押離鍵方向に揺動可能とする。縦ヒンジは、同一面上にある帯状の共通基端部に結合されて一体成形されている。この文献では、鍵の後部に重錘を備えていたり、重錘が固着されたレバーに当接する形状の後端部を備えていたりするため、鍵本体部が黒鍵の後面部がある位置よりも後方に延長されている。
【０００７】
ここで、各鍵の後端部を延長することなく、下方向に延ばし、その部分を縦ヒンジ部とすれば、水平ヒンジ部に比べて、鍵盤装置を鍵の長手方向に短縮できる。
その際、縦ヒンジンジを下方向に十分長くすれば、鍵の幅方向への力に対し、ヒンジが捩じれながら変位するから、可動範囲が広くなる。
そこで、鍵支点機能部として、このような縦ヒンジ部を用い、各鍵の後端部を鉛直方向に延ばし、延長部分を薄肉に形成することにより弾性変形部とし、各鍵の弾性変形部の下端を帯状の共通基端部に連結させれば、水平ヒンジ部よりも奥行き方向を短縮することができる。
しかし、縦ヒンジ部により鍵本体部の後方がふさがれてしまう。その結果、鍵本体部の後方下部に空きスペースができてしまう。しかし、この空きスペースを利用して電子鍵盤楽器の他の部材を挿入したい場合がある。
【０００８】
例えば、演奏操作で押すべき鍵を案内するために、演奏ガイド用の発光ダイオードを押鍵位置である鍵本体部の前方下部に設置するとともに、鍵の裏面に導光部材を設けて、鍵の後部側も光るようにした鍵盤装置が知られている（特許文献３参照）。
しかし、鍵本体部の前方下部は、演奏時に奏者の指や手のひらで隠れてしまうから演奏ガイドを見失うことがある。鍵の後部を光らせるのは有効であるが、導光部材はコストアップにつながる。
演奏ガイドとしては、この他、鍵盤後方を覆うパネル部前端に、各鍵に対応した位置に発光ダイオードを設置した製品もある。しかし、鍵自体が光らないので、どの鍵を押すべきかを判別しにくい。また、パネルが不透明であるため、パネルに導光用の孔を開け、透光用のシートをパネル表面に貼り付ける必要があるという問題がある。
【０００９】
そこで、鍵本体部後方下部に発光体を配置することが考えられる。しかし、上述した縦ヒンジ部があるために、上述した空きスペースを利用できないという問題がある。
【特許文献１】特許第２６２８５６６号公報
【特許文献２】実公平６−３１５０７号公報
【特許文献３】特開２００１−２６５３４８号公報
【発明の開示】
【発明が解決しようとする課題】
【００１０】
本発明は、上述した問題点を解決するためになされたもので、鍵盤装置を小型化し、かつ、演奏ガイド用発光体の配置などを設計する際の自由度を向上させる電子鍵盤楽器の鍵盤装置を提供することを目的とするものである。
【課題を解決するための手段】
【００１１】
本発明は、請求項１に記載の発明においては、複数の鍵が少なくとも１つの鍵ユニットを構成し、前記鍵ユニットを構成する各鍵は、鍵本体部の後方において前記鍵を押離鍵方向に揺動可能にする鍵支点機能部を介して共通基端部に結合されることにより一体に形成され、前記共通基端部が鍵フレームに固定される電子鍵盤楽器の鍵盤装置であって、前記鍵支点機能部は、前記鍵本体部の後方上面部裏面よりも下方にあって、前記鍵本体部の後端部よりも先端部寄りに形成されているものである。
従って、鍵支点機能部が鍵本体部の後方に出ている鍵盤装置に比べ、鍵盤装置の奥行き方向が短縮され、かつ、鍵支点機能部の後方に空きスペースが得られる。
加えて、鍵本体部の後方上面部裏面と鍵フレームとの間において、鍵支点機能部が形成されていない後端部寄りにも空きスペースが得られる。
これらの空きスペースに、鍵盤装置を構成する部材や電子鍵盤楽器を構成する部品を収容できるから、鍵盤装置全体を小型化することができる。
鍵本体部の後方上面部裏面と鍵フレームとの間のスペースに設ける必要のある構成部材は余りないから、このスペースに電子鍵盤楽器を構成する新たな部品を配置する場合に、設計の自由度が高い。
鍵支点機能部として具体的に用いる構造としては、少なくとも鍵を押離鍵方向に揺動可能にするものであれば、水平ヒンジ部であっても、縦ヒンジ部であっても、これらを結合したものでもよい。白鍵には水平ヒンジ部を用い、黒鍵には縦ヒンジ部を用いるという組合せが最適である。
【００１２】
請求項２に記載の発明においては、請求項１に記載の電子鍵盤楽器の鍵盤装置において、前記鍵本体部は、開放された後端部を有するものである。
従って、鍵本体部の後方上面部裏面よりも下方と鍵フレームとの間の、鍵本体部の後端部側までの空きスペースに電子鍵盤楽器を構成する部品を設置することができる。
【００１３】
請求項３に記載の発明においては、請求項１または２に記載の電子鍵盤楽器の鍵盤装置において、前記複数の鍵に対応して前記各鍵を光らせる複数の発光体を有し、前記鍵ユニットは光透過性を有する素材で形成されており、前記複数の発光体は、対応する各鍵の鍵本体部の、後方上面部の裏側に配置されているものである。
従って、鍵本体部の後方上面部の裏側に発光体を配置することにより、鍵本体部の後方上面部を下方から照らして光らせることができる。
また、この鍵本体部の後方上面部の裏側は、操作パネルの下部に連なる部分であるため、この発光体を、操作パネル部品を載置する基板に載せることも可能である。
この発光体は、電子鍵盤楽器の演奏ガイド機能のために用いることができる。演奏ガイド用の発光体を設置する場合、従来、鍵の先端部側の押鍵位置下部にこの発光体を設置していた。しかし、押鍵位置下部には多数の構造部材が密集しており、特に、質量体を有したピアノ系鍵盤の場合、この押鍵位置下部に鍵ガイド、及び、質量体との当接部を備えたものが多いから、鍵本体部の後方上面部の裏側に発光体を配置する方が設計の自由度が高くなる。
【発明の効果】
【００１４】
本発明は、上述した構成により、鍵盤装置の奥行き方向が短縮され、かつ、鍵支点機能部の後方に空きスペースが得られる。加えて、本体部の後方上面部裏面よりも下方に、鍵盤装置の他の構成部材や電子鍵盤楽器の構成部品を配置することができる空きスペースが得られるために、鍵盤装置及び電子鍵盤楽器全体が小型化されるという効果がある。
また、この空きスペースに新たに部品を配置する場合に、設計の自由度が高いという効果がある。
【発明を実施するための最良の形態】
【００１５】
図１は、本発明の実施の一形態を説明する斜視図である。図１（ａ）は白鍵ユニット１をその底面側から見た斜視図であり、図１（ｂ）は黒鍵ユニットをその背面側から見た斜視図である。鍵ユニットは1オクターブ分を図示している。
図１（ａ）において、１１〜１４は、白鍵ユニット１を構成するＢ鍵，Ｇ鍵，Ｅ鍵，Ｃ鍵の鍵本体部である。
鍵本体部１１〜１４には、その後方の上面部の裏面よりも下方に、鍵を押離鍵方向に揺動可能にする鍵支点機能部、図示の例では、水平ヒンジ部１１ａ〜１１ｄが形成され、この鍵支点機能部は、共通基端部１５に結合され、これらは樹脂により一体に形成されている。共通基端部１５は、鍵の長手方向（鍵の奥行き方向）に薄く鍵の幅方向（鍵の左右方向）に沿う帯状に形成されている。
この共通基端部１５を、図２（ｂ）を参照して説明する白鍵ユニット２の共通基端部２８及び図１（ｂ）を参照して説明する黒鍵ユニット３の共通基端部２６とともに、取付孔１５a〜１５ｃを位置合わせしてネジ等により、図示しない鍵フレームに整列固定する。
白鍵はいずれも同様の構成であるから、以下、Ｂ鍵について説明する。
【００１６】
水平ヒンジ部１１ａは、鍵の下方向（鍵の鉛直方向）に薄く鍵の長手方向に沿う薄板片状に形成されており、その幅（鍵の左右方向）を、右側面部１１ｄ及び左側面部１１ｅの内側面の間隔と等しくし、鍵の先端部（自由端部）１１ｋを図示の押離鍵方向（通常の押鍵操作による）に揺動可能にする。
この水平ヒンジ部１１ａの薄板片は、上面部１１ｆ（図２（ｃ）参照）と平行であるが、鍵の奥行き方向に傾いていてもよい。
水平ヒンジ部１１ａは、図７に示した従来の鍵のように、後端部１１ｃに結合されるのではなく、上面部１１ｆの裏面よりも下方にあり、その前端部は後端部１１ｃよりも先端部１１ｋ寄りの中間位置にて、連結部１１ｂを介して鍵本体部１１に結合され、その後端部は共通基端部１５の上端に結合されている。
【００１７】
連結部１１ｂは、鍵の長手方向に厚みを有し鍵の下方向に沿った板片状に形成されたものであり、右側面部１１ｄ，左側面部１１ｅの内側面、及び、上面部１１ｆの裏面（天井面）と結合されている。共通基端部１５は、肉厚が厚くてもよく、鍵本体部１１の後方下部にあって後端部１１ｃよりも先端部１１ｋ寄りに形成されている。
その結果、鍵本体部１１より後方下部において、共通基端部１５から後端部１１ｃまでが空きスペースとなる。加えて、上面部１１ｆの裏側は、連結部１１ｂから後端部１１ｃまでが空きスペースとなる。
１１ｇ，１１ｈはストッパ片であって、鍵本体部１１の右側面部１１ｄ，左側面部１１ｅから下方向へ延び、その先端が曲がってＬ字状になっている。１１ｉ，１１ｊは、第１，第２のアクチュエータであって、上面部１１ｆの裏面（天井面）からＨ字状に突出し、鍵の奥行き方向に沿って配置されている。
【００１８】
図１（ｂ）において、２１〜２５は、黒鍵ユニットを構成する各鍵の鍵本体部である。
鍵本体部２１〜２５には、その後方の上面部の裏面よりも下方に、鍵を押離鍵方向に揺動可能にする鍵支点機能部、図示の例では、縦ヒンジ部２１ａ〜２５ａ、を介して共通基端部２６に結合され、これらは樹脂により一体に形成されている。
共通基端部２６は、鍵の長手方向に薄く鍵の幅方向に沿う帯状に形成されている。
鍵本体部２１〜２５は、いずれも同様の構成であるから、以下、鍵本体部２１について説明する。
【００１９】
縦ヒンジ部２１ａは、鍵の長手方向に薄く鍵の下方向に沿う薄板片状に形成されており、鍵の先端部２１ｎを押離鍵方向に揺動可能とし、その左右は、右側面部２１ｃ及び左側面部２１ｄ（図示せず）の内側面の間隔とほぼ同じであり、鍵本体部２１を、押離鍵方向に揺動可能とするものである。
図示の縦ヒンジ部２１ａは、鍵本体部２１に対し鉛直下方に延びているが、鍵の奥行き方向に傾斜させてもよい。
縦ヒンジ部２１ａは、鍵本体部２１の後端部２１ｈに結合されているのではなく、鍵本体部２１の下方に潜り込み、図２（ａ）を参照して後述するように、後端部２１ｈよりも先端部２１ｎ寄りに形成された連結部２１ｂに、同一厚み、同一幅で結合され、その下端は帯状の共通基端部２６の上端に結合されている。図示の例では、連結部２１ｂ，縦ヒンジ部２１ａ及び共通基端部２６は同一平面上にある。
【００２０】
連結部２１ｂは、上面部２１ｅの裏面（天井面），右側面部２１ｃ，左側面部２１ｄ（図示せず）の内側に結合している。共通基端部２６は、肉厚が厚くてもよく、鍵本体部１１の後方下部にあって後端部２１ｈよりも先端部２１ｎ寄りに形成されている。
その結果、鍵本体部２１の後方下部において、共通基端部２６から鍵後端部２１ｈまで空きスペースとなる。加えて、上面部２１ｅの裏側は、連結部２１ｂから後端部２１ｈまで空きスペースとなる。
２ｉ，２１ｊはストッパ片であって、鍵本体部２１の右側面部２１ｃ及び左側面部２１ｄ（図示せず）から下方に延びており、その先端がＬ字状に曲がっている。２１ｋ，２１ｍは、第１，第２のアクチュエータであって、鍵本体部２１の上面部２１ｅの裏面（天井面）からＨ字状に突出し、２つが鍵の奥行き方向に沿って配置されている。
【００２１】
図２は、本発明の実施の一形態における黒鍵ユニット３、白鍵ユニット２、白鍵ユニット１を示す説明図である。
図２（ａ）は図１（ｂ）を参照して説明した黒鍵ユニット３の右側面図であるが、部分的に断面構造を示す図である。
図２（ｂ）は白鍵ユニット２の右側面図である。
図２（ｃ）は図１を参照して説明した白鍵ユニット１の右側面の断面図である。
図２（ｄ）は鍵盤装置の平面図（部分）である。図２（ｃ）は、この図２（ｄ）におけるＡ−Ａで指示される面に沿った断面図である。
【００２２】
最初に、図２（ｃ）を参照し、白鍵ユニット１の構造について補足説明をする。
連結部１１ｂは、上面部１１ｆの裏面（天井面）に結合しているが、裏面から離間させてもよい。裏面に結合していると、樹脂成形時に、上面部１１ｆの表面に「ヒケ」（窪み）が生じやすくなるからである。金型を後端部１１ｃ側からスライドさせることにより、上面部１１ｆの裏面（天井面）と連結部１１ｂとの間に孔を形成する。
【００２３】
図２（ｂ）に示す白鍵ユニット２は、Ｄ，Ｆ，Ａの３鍵からなるものである。水平ヒンジ部２７ａ，連結部２７ｂの形状及び寸法は、図２（ｃ）に示した白鍵ユニット１の水平ヒンジ部１１ａ，連結部１１ｂと同じでよい。
ただし、その共通基端部２８を、図２（ｃ）に示した共通基端部１５の図示右側に重ね合わせるため、共通基端部１５の厚み分だけ後端部２７ｃ側にずらせて形成されている。
【００２４】
図２（ａ）に示す黒鍵ユニット３においては、後端部２１ｈに接する水平面部２１ｇは楽器本体部パネルで隠れるが、後面部２１ｆは外から見えるから、図１（ｂ）にも示したように、後面部２１ｆが閉じている。そのため、樹脂成形の金型の制約から、連結部と水平ヒンジ部とを黒鍵本体部２１の後方下部に形成することが難しい。
そこで、上面部２１ｅの後部裏面（天井面）及び右側面部２１ｃ，左側面部２１ｄ（図示せず）の３方に結合する連結部２１ｂを設けている。
図２（ｃ）を参照して説明した連結部１１ｂと同様に、連結部２１ｂは、上面部２１ｅの裏面（天井面）から離間させてもよい。金型を先端部１１ｎ側からスライドさせることにより、上面部２１ｅの裏面（天井面）と連結部２１ｂとの間に孔を形成する。
【００２５】
縦ヒンジ部２１ａは、右側面部２１ｃ，左側面部２１ｄの下端位置（図中Ｖ１）から、共通基端部２６との結合位置（図中Ｖ２）までとなる。図示の例では、連結部２１ｂ，縦ヒンジ部２１ａ，共通基端部２６は同一厚みで同一平面で形成されるが、連結部２１ｂ，共通基端部２６の肉厚を縦ヒンジ部２１ａの肉厚より厚くしてもよい。
共通基端部２６は、図２（ｂ）に示した白鍵ユニット２の共通基端部２８の図示右側に重ね合わせるため、共通基端部２８の厚み分だけ後端部２１ｈ側にずらせて形成されている。
【００２６】
図３は、図２に示した鍵ユニットを合わせて鍵盤装置を組み立てた状態を示す右側面図である。
図中、図１，図２と同様な部分には同じ符号を付して説明を省略する。
３１は鍵フレームであって、樹脂により一体成型されたもの、又は、樹脂と樹脂以外の材質（例えば、金属）との複合材である。３１ａ，３１ｄは、この鍵フレーム３１を電子鍵盤楽器の下筐体に取り付けるためのねじボス部である。
３１ｂはフレーム段差部であって、ストッパ片１１ｇ，１１ｈの下部先端が入り込むスリットが設けられている。ストッパ片１１ｇ，１１ｈに対し、下限ストッパ３２、上限ストッパ３３がある。
３１ｃは水平面部であり、この上に、図示しない基板ユニットが配置され、その上に２個の鍵スイッチ、例えば、弾性を有するドーム形状のオンオフセンサが載置されている。鍵本体部１１を押鍵操作すると、アクチュエータ１１ｉ，１１ｊにより、鍵スイッチが時間差を持ってオンとなる。
【００２７】
図２に示した共通基端部１５，２８，２６は、図示左側からこの順に重ね合わされ、取付孔を位置合わせし、ねじ３４により、フレーム後端壁３１ｅに取付固定される。３１ｄはネジ３４用のねじボス部であり、３１ｆは共通基端部１５，２８，２６の下端をそろえる基端受部である。
３５は楽器本体パネル部であり、黒鍵の後面部２１ｆよりも後方の鍵盤面を覆う。黒鍵の後面部２１ｆのわずか後方にあるため、楽器本体パネル部３５に覆われる。楽器本体パネル部３５から露出している鍵盤面は、鍵外観面と呼ばれている。
【００２８】
図示の例では、鍵本体部１１のストッパ片１１ｇ（１１ｈも同様）は、その下部先端が鍵の後方（後端部１１ｃ側）に突出し、図示の右側面図ではＬ字状に形成されていた。
これに代えて、ストッパ片１１ｇ，１１ｈは、その下部先端が鍵の前方（先端部１１ｋ側）に突出するように形成されてもよい。この場合、フレーム前方段差部３１ｇにスリットを設け、下部先端がこのスリットに入り込むように、鍵フレーム３１の形状及び寸法を変更する。上限ストッパ３３は、鍵を押していない時に下部先端の上部が当接することになる前方水平面部３１ｈの裏面に配置し、下限ストッパ３２は、鍵の先端部１１ｋを最大限まで押下した時にストッパ片１１ｇ，１１ｈの下端が当接する位置に配置する。
上述したストッパ片１１ｇ，１１ｈの変形例と、これに関連する鍵フレーム３１の形状及び寸法の変更、上限ストッパ３３，下限ストッパ３２の配置の変更に関しては、図１（ｂ）、図２（ａ），（ｂ）を参照して説明した黒鍵ユニット３，白鍵ユニット２の各鍵についても同様である。また、図６を参照して後述する第２の実施の形態における各鍵についても同様である。
【００２９】
図示のように、鍵支点機能部（縦ヒンジ部２１ａ、水平ヒンジ部１１ａ，２７ａ）及び共通基端部１５，２８，２６が、鍵本体部１１，２７，２１の後方上面部裏面よりも下方にあって、後端部１１ｃ，２７ｃ，２１ｈ（より厳密にいうならば、上述した鍵外観面後端）よりも先端部１１ｋ，２７ｋ，２１ｎ寄りに形成され、かつ、この鍵支点機能部よりもさらに後方に、他の鍵機能部材（例えば、アクチュエータやピアノアクション機構）がないようにすれば、楽器本体パネル部３５の下部に空きスペースを確保することができる。
従って、この空きスペースに、楽器本体パネル部３５に取り付ける操作子やスイッチ類の取付スペース３６を設けたり、メイン基板，電池ケース等の収容スペース３７を設けたりすることができる。
これらの取付スペース３６や収容スペース３７の容積が従来製品と同じであるとすれば、電子鍵盤楽器の奥行きを短縮できることになる。
【００３０】
なお、鍵本体部１１，２７の揺動支点は水平ヒンジ部１１ａ，２７ａになり、鍵本体部２１の揺動支点は縦ヒンジ部２１ａになる。鍵の長手方向で考えると、揺動支点は、従来よりも先端部寄りになってしまうが、鍵本体部１１，２７，２１の下方に位置している。従って、演奏者が先端部１１ｋ，２７ｋ，２１ｎ側を押下したとき、先端部が演奏者側に近づくことになるため、演奏操作の違和感はない。
【００３１】
図４は、図３に示した鍵盤装置に演奏ガイド用の発光体を組み込む第１の具体例を示す説明図である。
図３に示した鍵盤装置を断面図として示すとともに、楽器本体パネル部の具体例を図示したものである。
図中、図３と同様な部分には同じ符号を付して説明を省略する。
４１は演奏ガイド用の発光体、例えば、発光ダイオード（LED）である。発光体４１は、各鍵に対して設けられる。予め記憶された曲データを再生して得られる演奏データに応じて、発光体４１を選択的に光らせ、押鍵すべき鍵を案内する。
【００３２】
鍵本体部１１，２７，２１の後方の上面部１１ｆ，２７ｆ，２１ｅの裏側における、後端部１１ｃ，２７ｃ，２１ｈより先端部寄りに、空隙部（空きスペース）１１ｏ，２７ｏ（図示省略），２１ｏ（図２（ａ））が生じている。そこで、発光体４１を、この空隙部１１ｏ，２７ｏ，２１ｏに配置し、後方の上面部１１ｆ，２７ｆ，２１ｅを下方から照光することができる。
各鍵本体部１１，２７，２１は、光透過性を有する透明又は半透明の素材で形成することにより、発光体４１の点灯を視認することができる。
【００３３】
発光体用プリント基板４２は複数の発光体及び駆動回路素子等を取り付けたものであって、ネジ４３、４４により鍵フレーム３１に設けられねじボス部３１ｉ，３１ｊに取付固定される。
一方、４５は楽器本体パネル部３５のための部品を取り付けるパネル基板であって、ネジ４６によりねじボス部３５ａに取付け固定される。パネル基板４５には、例えば、スイッチ操作部４６が取付けられており、その押しボタン４６aが楽器本体パネル部３５から突き出ている。ユーザがこの押しボタン４６ａを押すと、パネル基板４５に取り付けられたスイッチ４５が押圧される。
なお、発光体４１はLEDに限らず、上述した空隙部１１ｏ，２７ｏ（図示省略），２１ｏ（図２（ａ））に収まり、鍵を照光し演奏ガイドとしての機能を果たすものであればよい。
【００３４】
図５は、図３に示した鍵盤装置に演奏ガイド用の発光体を組み込む第２の具体例を示す説明図である。
図中、図３，図４と同様な部分には同じ符号を付して説明を省略する。
図４を参照して説明した空隙部１１ｏ，２７ｏ（図示省略），２１ｏ（図２（ａ））は、後端部１１ｃ，２７ｃ，２１ｈが開放されているから、図示しない発光体用基板を後端部１１ｃ，２７ｃ，２１ｈの後方に配置し、発光体４１を空隙部１１ｏ，２７ｏ，２１ｏに配置することができる。図示のように、パネル基板４５が発光体用基板を兼ねるようにしてもよい。この場合、発光体用の専用の基板が不要となるから、部品点数を削減できる。
【００３５】
上述した説明では、鍵支点機能部として、白鍵ユニット１，２に関しては水平ヒンジ部を用い、黒鍵ユニットに関しては縦ヒンジ部を用いた。
しかし、ヒンジ支点部の種類は、水平ヒンジ部、縦ヒンジ部のいずれかに限定されるものではない。円弧片状のヒンジ部であってもよく、鍵本体部の後端部よりも先端部寄りに鍵支点機能部が配置されていればよい。鍵支点機能部が、鍵後端部より前方に位置することによって、押鍵位置から鍵支点部までが短くなるが、鍵の揺動支点部の位置が下方に下がることによって、操作上の違和感を少なくできる。
【００３６】
図６は、本発明の他の実施の一形態における鍵ユニットを示す説明図である。
図６（ａ）は黒鍵ユニット３の右側面図、図６（ｂ）は白鍵ユニット２の右側面図、図６（ｃ）は白鍵ユニット１の右側面図であって、いずれも、後方部分については断面構造を示す。
この実施の形態は、縦ヒンジ部と左右ヒンジ部を結合した鍵支点機能部を用いたものである。
【００３７】
最初に、図６（ｃ）を参照して白鍵ユニット１の鍵支点機能部の構造を説明する。
６５は白鍵ユニット１を構成する鍵の鍵本体部である。鍵支点機能部７３は、鍵本体部６５の後部における、上面部裏面よりも下方に形成され、この鍵支点機能部７３を介して共通基端部６６に結合され、樹脂により一体に形成されている。共通基端部６６は、鍵の長手方向に薄く鍵の幅方向に沿う帯状に形成されている。
鍵支点機能部７３は、左右ヒンジ部６５ａと縦ヒンジ部６５ｂを有している。
【００３８】
縦ヒンジ部６５ｂは、鍵の長手方向に薄く鍵の下方向に沿う薄板片状に形成され、鍵の先端部６５ｋを押離鍵方向に揺動可能とする。この縦ヒンジ部６５ｂの上端は、後端部６５ｃよりも先端部６５ｋ寄りの中間位置にて、上面部６５ｆの裏面（天井面）に結合されている。縦ヒンジ部６５ｂと鍵の左右側面部の間にスリットが形成され、縦ヒンジ部６５ｂは、鍵の左右側面部の内側面から離間している。
図示の縦ヒンジ部６５ｂは、鍵本体部６５に対し鉛直下方に延びているが、鍵の長手方向に傾斜させてもよい。
【００３９】
左右ヒンジ部６５ａは、鍵の幅方向に薄く鍵の長手方向に沿う薄板片状に形成され、鍵の先端部６５ｋを鍵の幅方向に変位可能とすることにより、鍵の幅方向に力が加わった場合の可動許容範囲を向上させ、かつ、縦ヒンジ部６５ｂの根元部に集中する応力を緩和することができ、縦ヒンジ部６５ｂの耐久性が向上する。
左右ヒンジ部６５ａの前端は縦ヒンジ部６５ｂの下部後面の中央に結合され、後端は、帯状の共通基端部６６の前面に垂直に結合されている。
共通基端部６６は、肉厚が厚くてもよく、鍵本体部６５の後方下部にあって、後端部６５ｃよりも先端部６５ｋ寄りに形成されている。
左右ヒンジ部６５ａと結合されていない縦ヒンジ部６５ｂの上部が、揺動の鍵支点として機能する。
なお、縦ヒンジのみを用いた場合、鉛直方向に十分長くすれば、鍵の幅方向への力に対し、ヒンジが捩じれながら変位するから、可動範囲が広くなる。しかし、縦ヒンジが斜めに捩じれながら可動するため、縦ヒンジの根元部に応力が集中し、耐久性に劣る。また、鍵本体部がローリングしやすくなって、隣接する鍵本体部や鍵ガイドとの接触による機械的雑音の発生等の問題点が生じる。
【００４０】
図６（ｂ）に示す白鍵ユニット２における鍵本体部６３の鍵支点機能部は、図６（ｃ）に示した鍵支点機能部と同様である。左右ヒンジ部６３ａ，縦ヒンジ部６３ｂの形状及び寸法は、白鍵ユニット１の左右ヒンジ部６５ａ，縦ヒンジ部６５ｂと同じでよい。
ただし、その共通基端部６４の位置は、共通基端部６６の厚み分だけ鍵の後端部６３ｃ側にずらせて配置されている。
【００４１】
図６（ａ）に示す黒鍵ユニット３は、図２（ａ）に示した黒鍵ユニット３と同じ構造のものである。ただし、各部の配置及び寸法は、共通基端部６２を、上述した白鍵ユニット２の共通基端部６４及び白鍵ユニット１の共通基端部６６と重ねて鍵フレーム３１に整列固定できるようにしている。
黒鍵ユニット３にも左右ヒンジ部を設けることが望ましい。しかし、そうすると金型で成形することが難しくなるので、鍵支点機能部７１は縦ヒンジ部６１ａのみとしている。
【００４２】
左右ヒンジ部６５ａ，６３ａの肉厚は、縦ヒンジ部６５ｂ，６３ｂよりも厚くしている。共通基端部６６，６４の厚みは、縦ヒンジ部６５ｂ，６３ｂよりも肉厚に形成しているが、同じにしてもよい。
上述した共通基端部６６，６４，６２は、先の実施の形態と同様に、取付孔（６６ａ等）を位置合わせしてネジ等により、鍵フレーム３１に整列固定する。
【００４３】
この実施の形態においても、鍵支点機能部７３〜７１及び共通基端部６６，６４，６２が、鍵本体部６５，６３，６１の後方上面部裏面よりも下方にあって、後端部６５ｃ，６３ｃ，６１ｈ（より厳密にいうならば、鍵外観面後端）よりも先端部６５ｋ，６３ｋ，６１ｎ寄りに形成されている。従って、この鍵支点機能部７１〜７３よりもさらに後方に、他の鍵機能部材がないようにすれば、楽器本体パネル部３５の下部に空きスペースを確保することができる。
また、上面部６５ｆ，６３ｆ，６１ｅと鍵支点機能部７３，７２，７１との間に、空隙部が生じるとともに、後端部６５ｃ，６３ｃ，６１ｈ側が開放されているから、図４，図５と同様に、演奏ガイド用の発光体を配置することができる。
【００４４】
上述した説明では、２個のアクチュエータを備えた鍵本体部について説明した。しかし、１個のアクチュエータを備えたものでもよい。また、押鍵後の押下げ量等を検出するアフタータッチセンサを備え、アフタータッチ制御をするものでもよい。
上述した説明では、1オクターブの鍵を３分割した鍵ユニットを用いたが、１オクターブ分以上の鍵を分割してもよいし、分割数を変えてもよい。
【図面の簡単な説明】
【００４５】
【図１】本発明の実施の一形態を説明する斜視図である。
【図２】本発明の実施の一形態における黒鍵ユニット３、白鍵ユニット２、白鍵ユニット１を示す説明図である。
【図３】図２に示した鍵ユニットを合わせて鍵盤装置を組み立てた状態を示す右側面図である。
【図４】図３に示した鍵盤装置に演奏ガイド用の発光体を組み込む第１の具体例を示す説明図である。
【図５】図３に示した鍵盤装置に演奏ガイド用の発光体を組み込む第２の具体例を示す説明図である。
【図６】本発明の他の実施の一形態における鍵ユニットを示す説明図である。
【図７】従来の鍵ユニットの問題点を説明するための、１つの鍵を示す図である。
【符号の説明】
【００４６】
１１〜１４，２１〜２５，２７…鍵本体部、１１ａ〜１４ａ，２７ａ…水平ヒンジ部（鍵支点機能部）、２１ａ〜２５ａ…縦ヒンジ部（鍵支点機能部）、１１ｂ〜１４ｂ，２１ｂ，２７ｂ…連結部、１１ｃ，２１ｈ，２７ｃ…後端部、１１ｆ，２１ｅ，２７ｆ…上面部、１１ｋ，２１ｎ，２７ｋ…先端部、１１ｏ，２１ｏ…空隙部、１５，２６，２８…共通基端部、３１…鍵フレーム、３５…楽器本体パネル部、４１…発光体、４２…発光体用基板、４５…パネル基板、６１，６３，６５…鍵本体部、６１ａ，６３ｂ，６５ｂ…縦ヒンジ部、６３ａ，６５ａ…左右ヒンジ部、６１ｈ，６３ｃ，６５ｃ…後端部、６１ｅ，６３ｆ，６５ｆ…上面部、６１ｎ，６３ｋ，６５ｋ…先端部、６２，６４，６６…共通基端部、７１〜７３…鍵支点機能部
【図１】
2008003210.tif 000003
【図２】
2008003210.tif 000004
【図３】
2008003210.tif 000005
【図４】
2008003210.tif 000006
【図５】
2008003210.tif 000007
【図６】
2008003210.tif 000008
【図７】
2008003210.tif 000009